(57)【要約】【目的】  構造が簡単で、雪が透光部に付着せず、射出される光を阻害しないようにする。【構成】  本体部１００Ａに取り付けられる透光体２００Ａと、この透光体２００Ａを介して外部に光を照射する光源３００Ａとを備えており、前記透光体２００Ａは外側面が下方にいくに従って厚さが漸減するテーパ面２１０Ａとなっており、前記透光部２００Ａの上端には、前記テーパ面２１０Ａの傾斜角度より大きな傾斜角度を有する上側フード４００Ａが取り付けられている。【選択図】      図１
2005126909.tif 000002
【特許請求の範囲】
【請求項１】
本体部に取り付けられる透光体と、この透光体を介して外部に光を照射する光源とを具備しており、前記透光体は外側面が下方にいくに従って厚さが漸減するテーパ面となっており、前記透光体の上端には、前記テーパ面の傾斜角度θ１より大きな傾斜角度θ２を有する上側フードが取り付けられていることを特徴とする着雪防止型スノーポール。
【請求項２】
前記テーパ面の垂直面に対する傾斜角度θ１は、１０°以上であることを特徴とする請求項１記載の着雪防止型スノーポール。
【請求項３】
前記テーパ面の垂直面に対する傾斜角度θ１（θ１≠４５°）と、前記上側フードのテーパ面に対する傾斜角度θ２（θ２≠０°）との和は４５°以上であることを特徴とする請求項２記載の着雪防止型スノーポール。
【請求項４】
前記透光体のテーパ面の両側面には、テーパ面より後退した横側フードが設けられていることを特徴とする請求項１、２又は３のいずれか１に記載の着雪防止型スノーポール。
【請求項５】
前記透光体は、テーパ面の上側が、光源からの光の透光に無関係になっていることを特徴とする請求項１、２、３又は４のいずれか１に記載の着雪防止型スノーポール。
【請求項６】
前記光源からの光の透過に無関係な部分は、透光体のテーパ面の長さの２０〜５０％を占めていることを特徴とする請求項５記載の着雪防止型スノーポール。
【発明の詳細な説明】
【技術分野】
【０００１】
本発明は、豪雪地帯の道路の路肩や中央分離帯等に設置される着雪防止型スノーポールに関する。
【背景技術】
【０００２】
スノーポールは、豪雪地帯の道路の路肩や中央分離帯等や、そこに設置されたガードレール等に等間隔で配置され、自らが発光することで道路のカーブ状態や、路肩の存在等をドライバーに昼夜の別なく視認させるものである。
【０００３】
一般的な発光式のスノーポールは、内部に光源が内蔵されたポール状の本体部と、前記光源からの光を外部に導くために前記本体部に設けられた開口部と、この開口部を閉塞する透光性を有する透光板とを有している。この透光板に雪が付着すると、ドライバーが光源からの光を視認することができないので、本願出願人は、雪の付着を防止したスノーポールとして、特願２００１−３９８７７３号を出願している。
【０００４】
【特許文献１】特願２００１−３９８７７３号
【発明の開示】
【発明が解決しようとする課題】
【０００５】
上述した特願２００１−３９８７７３号に記載された着雪防止型スノーポールには、透光板の前面に略楔状の風切りフードを固定的に設けたものがある。また、別の形態として前記風切りフードが可動式になったものもある。かかる着雪防止型スノーポールでも、雪の付着は防止できるが、その構造が若干複雑である。
【０００６】
本発明は、上記事情に鑑みて創案されたもので、構造が簡単で、かつ雪が透光体に付着せず、射出される光を阻害しない着雪防止型スノーポールを提供することを目的としている。
【課題を解決するための手段】
【０００７】
本発明に係る着雪防止型スノーポールは、本体部に取り付けられる透光体と、この透光体を介して外部に光を照射する光源とを備えており、前記透光体は外側面が下方にいくに従って厚さが漸減するテーパ面となっており、前記透光体の上端には、前記テーパ面の傾斜角度θ１より大きな傾斜角度θ２を有する上側フードが取り付けられている。
【発明の効果】
【０００８】
本発明に係る着雪防止型スノーポールは、ポール状の本体部に取り付けられる透光体と、この透光体を介して外部に光を照射する光源とを備えており、前記透光体は外側面が下方にいくに従って厚さが漸減するテーパ面となっており、前記透光体の上端には、前記テーパ面の傾斜角度θ１より大きな傾斜角度θ２を有する上側フードが取り付けられている。
【０００９】
このように構成することによって、テーパ面がない場合や、上側フードがない場合に比べて、雪の付着が開始される点である淀み点（風の速度が０になる点）をテーパ面のより上方に移動させることができる。従って、雪が付着しにくく、光源からの光を遮ることなく、雪が吹きつけるような降雪時でもドライバーからの視認を確保することができる安全な着雪防止型スノーポールとすることができる。しかも、その構造は簡単である。
【００１０】
前記テーパ面の垂直面に対する傾斜角度θ１は、１０°以上であると、淀み点が上方に移動し、雪が吹きつけるような降雪時でもドライバーからの視認を確保することができることが実験で確認されている。また、前記テーパ面の垂直面に対する傾斜角度θ１（θ１≠４５°）と、前記上側フードのテーパ面に対する傾斜角度θ２（θ２≠０°）との和は４５°以上であれば、より確実に雪が付着しにくく、雪が吹きつけるような降雪時でもドライバーからの視認を確保することができる安全な着雪防止型スノーポールとすることができることが実験で確認されている。
【００１１】
また、前記透光体のテーパ面の両側面には、テーパ面より後退した横側フードを設けると、横側から吹きつける雪が透光体に付着しないようになる。
【００１２】
前記透光体は、テーパ面の上側が、光源からの光の透光に無関係になっていると、上方に移動した淀み点が、前記無関係な部分に位置するので、雪が付着したとしても、光を遮ることがない。
【００１３】
前記光源からの光の透過に無関係な部分は、透光体のテーパ面の長さの２０〜５０％を占めていると、淀み点を確実に光の透過に無関係な部分に位置させることができることが実験で確認されており、その部分に雪が付着したとしても、光を遮ることがない。
【発明を実施するための最良の形態】
【００１４】
図１は本発明の第１の実施の形態に係る着雪防止型スノーポールの概略的一部破断側面図、図２は本発明の第１の実施の形態に係る着雪防止型スノーポールに用いられる透光体の概略的斜視図、図３は本発明の第２の実施の形態に係る着雪防止型スノーポールの概略的平面図、図４は本発明の第３の実施の形態に係る着雪防止型スノーポールの概略的一部破断側面図、図５は本発明の第３の実施の形態に係る着雪防止型スノーポールに用いられる透光体の概略的斜視図、図６は本発明の第４の実施の形態に係る着雪防止型スノーポールの概略的平面図、図７は本発明の第５の実施の形態に係る着雪防止型スノーポールの概略的一部破断側面図、図８は本発明の第５の実施の形態に係る着雪防止型スノーポールに用いられる透光体と一体型フードとを示す概略的斜視図、図９は本発明の第５の実施の形態に係る着雪防止型スノーポールに用いられる透光体と一体型フードとを示す概略的平面図である。
【００１５】
本発明の第１の実施の形態に係る着雪防止型スノーポールＡは、図１に示すように、ポール状の本体部１００Ａに取り付けられる透光体２００Ａと、この透光体２００Ａを介して外部に光を照射する光源３００Ａとを備えており、前記透光体２００Ａは外側面が下方にいくに従って厚さが漸減するテーパ面２１０Ａとなっており、前記透光体２００Ａの上端には、前記テーパ面２１０Ａの傾斜角度より大きな傾斜角度を有する上側フード４００Ａが取り付けられている。
【００１６】
前記本体部１００Ａは、円柱形状、すなわちポール状のものであって、周面の上端部に開口１１０Ａが開設されている。この開口１１０Ａは、後述する光源３００Ａからの光を透光体２００Ａに導くためのものである。また、この本体部１００Ａの下部には、着雪防止型スノーポールＡを地面に固定するための取付板１２０Ａが設けられている。図面中１３０Ａは、取付板１２０Ａと本体部１００Ａとの連結を補強するためのリブである。
【００１７】
なお、前記本体部１００Ａは、光源３００Ａと図外の電源とを接続する接続ケーブル（図示省略）が通過するため、内部は中空になっている。
【００１８】
前記光源３００Ａは、本体部１００Ａの上端の内部に開口１１０Ａと正対するように内蔵されている。かかる光源３００Ａとしては、複数の発光ダイオード素子を１枚の基板に実装したものが使用される。
【００１９】
前記透光体２００Ａは、透光性を有する合成樹脂から構成されている。かかる透光体２００Ａは、図１及び図２に示すように、外側面がテーパ面２１０Ａとなった側面視略台形状のものである。前記テーパ面２１０Ａは、垂直面Ｌ（一点鎖線で示す）に対する傾斜角度θ１は、１０°に設定されている。
【００２０】
また、この透光体２００Ａのテーパ面２１０Ａに対向する面は、図２に示すように、ポール状の本体部１００Ａに取り付けるために、本体部１００Ａの周面に沿うように円弧状の凹面２２０Ａとなっている。さらに、この透光体２００Ａのテーパ面２１０Ａは、上側の２０％は、前記開口１１０Ａには正対しない、すなわち光源３００Ａからの光の透光に無関係になっている。従って、光源３００Ａからの光は、光の透光には無関係の上側２０％を除いた残りの８０％の面から外部に照射されることになる。なお、この実施の形態では、テーパ面２１０Ａの上側の２０％の部分が光源３００Ａからの光の透過に無関係になっているとしたが、この光源３００Ａからの光の透過に無関係な部分は、テーパ面２１０Ａの上側から２０〜５０％の範囲であればよい。これは、後述する第２〜５の実施の形態でも同様である。
【００２１】
さらに、この透光体２００Ａの幅寸法Ｗ（図２参照）は、本体部１００Ａの直径とほぼ等しく設定されている。従って、本体１００Ａと透光体２００Ａとの間には、雪が付着する原因の１つとなる段差が形成されない。
【００２２】
なお、この透光体２００Ａは、図示しないパッキン等を介して本体部１００Ａに取り付けられているので、本体部１００Ａの内部は水密、気密状態になっている。
【００２３】
前記上側フード４００Ａは、透光体２００Ａの上端に取り付けられている。この上側フード４００Ａは、前記テーパ面２１０Ａに対して傾斜角度θ２となるように、透光体２００Ａに取り付けられている。なお、前記傾斜角度θ２は、前記テーパ面２１０Ａの傾斜角度θ１より大きく、この場合には３５°に設定されている。
【００２４】
また、かかる上側フード４００Ａは、透光体２００Ａのテーパ面２１０Ａの長さの３０％以上の長さに設定されている。上側フード４００Ａの長さを、透光体２００Ａのテーパ面２１０Ａの長さの３０％以上とすることにより、雪のテーパ面２１０Ａへの付着が効果的に防止されることが実験により確認されている。
【００２５】
また、この透光体２００Ａの表面には、例えば酸化チタン等の親水性又は撥水性を有するとともに透光性を有する塗料が塗布されていると、万が一、雪が透光体２００Ａにより付着しにくくなるので、効果的に雪が付着することを防止することができる。
【００２６】
次に、このように構成された本発明の第１の実施の形態に係る着雪防止型スノーポールＡの機能について説明する。
雪が透光体２００Ａに正面から吹きつけると、透光体２００Ａのテーパ面２１０Ａに衝突した雪は、図１に示すように、テーパ面２１０Ａに導かれて、矢印ａに示すように、上側と下側に分かれて流れる。しかも、上側に流れた風は、透光体２００Ａの上端には上側フード４００Ａが設けられているので、さらに上側フード４００Ａに導かれて流れる。
【００２７】
ここで、透光体２００Ａのテーパ面２１０Ａの上側の２０％の部分及び上側フード４００Ａは、いわゆる淀み点を透光体２００Ａの上側にずらす機能を有している。ここで、淀み点とは、吹きつけられた風の速度が０となる点をいう。淀み点では、風の速度が０となるので、吹きつけられた雪は淀み点から付着しはじめる。
【００２８】
しかし、テーパ面２１０Ａの上側の２０％の部分と上側フード４００Ａとによって、淀み点は、テーパ面２１０Ａの下側の残り８０％の部分ではなく、少なくとも光の透過に無関係のテーパ面２１０Ａの上側の２０％を含む部分に移動させられているので、光が透過するテーパ面２１０Ａの下側の残り８０％の部分にはない。このため、光の透過に関係する部分には雪が付着することはない。
【００２９】
すなわち、このように構成することによって、着雪防止型スノーポールＡに吹きつけられた風の淀み点が上方へと移動し、テーパ面２１０Ａのうち光の透過に関係する部分に雪が付着するのを防止するのである。
【００３０】
上述した第１の実施の形態に係る着雪防止型スノーポールＡでは、透光体２００Ａのテーパ面２１０Ａに対して正面から雪が吹きつけた場合の雪の付着防止に大きな効果があったが、横方向から吹きつけた雪に対しても効果のある第２の実施の形態に係る着雪防止型スノーポールＢについて、図３を参照しつつ説明する。
【００３１】
この本発明の第２の実施の形態に係る着雪防止型スノーポールＢは、第１の実施の形態に係る着雪防止型スノーポールＡの透光体２００Ａに２つの横側フード５００Ｂを取り付けたものである。
【００３２】
この第２の実施の形態に係る着雪防止型スノーポールＢにおける透光体２００Ｂの両側面には、テーパ面２１０Ｂより後退した横側フード５００Ｂが設けられている。
【００３３】
この横側フード５００Ｂは、透光体２００Ｂの側面２３０Ｂに対する傾斜角度θ３をもって透光体２００Ｂに取り付けられている。前記傾斜角度θ３は、具体的には、４５°前後が望ましい。
【００３４】
第２の実施の形態に係る着雪防止型スノーポールＢは、横側フード５００Ｂが取り付けられている以外の点は、上述した第１の実施の形態に係る着雪防止型スノーポールＡと同様の構成であるので、その詳細な説明を省略する。
【００３５】
かかる第２の実施の形態に係る着雪防止型スノーポールＢは、横側あるいは斜め方向から雪が吹きつけたとしても、横側フード５００Ｂによってその流れがテーパ面２１０Ｂより後方に導かれるので、透光体２００Ｂには雪が付着しない。すなわち、光の透過に関係するテーパ面２１０Ｂには雪が付着しないのである。
【００３６】
上述した第１及び第２の実施の形態に係る着雪防止型スノーポールＡ、Ｂは、透光体２００Ａ、２００Ｂが本体部１００Ａ、１００Ｂに設けられた開口１１０Ａ（第２の実施の形態に係る着雪防止型スノーポールＢでは、開口は図示されていない）を覆うように取り付けられ、本体部１００Ａ、１００Ｂに光源３００Ａ、３００Ｂが内蔵されるものであった。次に、説明する本発明の第３の実施の形態に係る着雪防止型スノーポールＣは、透光体２００Ｃの内部に光源３００Ｃが内蔵され、透光体２００Ｃが本体部１００Ｃの上端に取り付けられるタイプである。
【００３７】
この第３の実施の形態に係る着雪防止型スノーポールＣは、図４及び図５に示すように、透光体２００Ｃが第１及び第２の実施の形態に係る着雪防止型スノーポールＡ、Ｂとは違って、ポール状の取付部２５０Ｃと、この取付部２５０Ｃと一体形成された透光体２６０Ｃとから構成される。
【００３８】
前記取付部２５０Ｃは、透光体２００Ｃを本体部１００Ｃの上端に取り付けるための部分であって、ポール状の本体部１００Ｃとほぼ同径のポール状に形成されている。かかる取付部２５０Ｃは、上端が閉塞された円筒形状に形成されており、内部に光源３００Ｃが内蔵されるようになっている。
【００３９】
また、前記透光体２６０Ｃは、上述した第１及び第２の実施の形態に係る着雪防止型スノーポールＡ、Ｂにおける透光体２００Ａ、２００Ｂと同形状であって、外側面が下方にいくに従って厚さが漸減するテーパ面２１０Ｃとなっている。
【００４０】
前記テーパ面２１０Ｃの垂直面Ｌに対する傾斜角度θ１は、１０°に設定されている。また、テーパ面２１０Ｃの上側の２０％の部分は、前記光源３００Ｃには正対しない、すなわち光源３００Ｃからの光の透光に無関係になっている。従って、光源３００Ｃからの光は、光の透光には無関係の上側２０％を除いた残りの８０％の面から外部に照射されることになる。
【００４１】
なお、かかる透光体２００Ｃは、図示しないパッキン等を介して本体部１００Ｃに取り付けられているので、本体部１００Ｃの内部は水密、気密状態になっている。
【００４２】
前記上側フード４００Ｃは、透光体２００Ｃの透光体２６０Ｃの上端に取り付けられている。この上側フード４００Ｃは、前記テーパ面２１０Ｃに対して傾斜角度θ２となるように、透光体２００Ｃに取り付けられている。なお、前記傾斜角度θ２は、前記テーパ面２１０Ｃの傾斜角度θ１より大きく、この場合には３５°に設定されている。
【００４３】
また、この透光体２００Ｃの表面には、例えば酸化チタン等の親水性又は撥水性を有するとともに透光性を有する塗料が塗布されていると、万が一、雪が透光体２００Ｃにより付着しにくくなるので、効果的に雪が付着することを防止することができる。
【００４４】
本体部１００Ｃが円柱形状、すなわちポール状のものである点、下部には、着雪防止型スノーポールＣを地面に固定するための取付板１２０Ｃが設けられている点、内部が光源３００Ｃと図外の電源とを接続する接続ケーブル（図示省略）の通過のため中空になっている点、取付板１２０Ｃと本体部１００Ｃとの連結を補強するためのリブ１３０Ｃが設けられている点は、上述した第１及び第２の実施の形態に係る着雪防止型スノーポールＡ、Ｂと同様である。
【００４５】
次に、このように構成された本発明の第３の実施の形態に係る着雪防止型スノーポールＣの機能について説明する。
雪が着雪防止型スノーポールＣに正面から吹きつけると、透光体２００Ｃのテーパ面２１０Ｃに衝突した雪は、図４に示すように、テーパ面２１０Ｃに導かれて、矢印ｃに示すように、上側と下側に分かれて流れる。しかも、上側に流れた風は、透光体２００Ｃの上端には上側フード４００Ｃが設けられているので、さらに上側フード４００Ｃに導かれて流れる。
【００４６】
ここで、透光体２００Ｃのテーパ面２１０Ｃの上側の２０％の部分及び上側フード４００Ｃは、いわゆる淀み点を上側にずらす機能を有している。ここで、淀み点とは、吹きつけられた風の速度が０となる点をいう。淀み点では、風の速度が０となるので、吹きつけられた雪は淀み点から付着しはじめる。
【００４７】
しかし、テーパ面２１０Ｃの上側の２０％の部分と上側フード４００Ｃとによって、淀み点は、テーパ面２１０Ｃの下側の残り８０％の部分ではなく、少なくとも光の透過に無関係のテーパ面２１０Ｃの上側の２０％を含む部分に移動させられているので、光が透過するテーパ面２１０Ｃの下側の残り８０％の部分にはない。このため、光の透過に関係する部分には雪が付着することはない。
【００４８】
すなわち、このように構成することによって、着雪防止型スノーポールＣに吹きつけられた風の淀み点が上方へと移動し、テーパ面２１０Ｃのうち光の透過に関係する部分に雪が付着するのを防止するのである。
【００４９】
かかる着雪防止型スノーポールＣでは、透光体２００Ｃと本体部１００Ｃとの連結部分が、雪が吹きつける透光体２００Ｃの正面側よりも下側に位置しているので、万が一雪が付着した場合でも、本体部１００Ｃの内部に水が浸入しにくい構成となっている。
【００５０】
上述した第３の実施の形態に係る着雪防止型スノーポールＣでは、透光体２００Ｃのテーパ面２１０Ｃに対して正面から雪が吹きつけた場合の雪の付着防止に大きな効果があったが、横方向から吹きつけた雪に対しても効果のある第４の実施の形態に係る着雪防止型スノーポールＤについて、図６を参照しつつ説明する。
【００５１】
この本発明の第４の実施の形態に係る着雪防止型スノーポールＤは、第３の実施の形態に係る着雪防止型スノーポールＣの透光体２００Ｃに２つの横側フード５００Ｄを取り付けたものと同等のものである。
【００５２】
この第４の実施の形態に係る着雪防止型スノーポールＤにおける透光体２００Ｄの両側面には、テーパ面２１０Ｄより後退した横側フード５００Ｄが設けられている。
【００５３】
この横側フード５００Ｄは、透光体２００Ｄの側面２３０Ｄに対する傾斜角度θ３をもって透光体２００Ｄに取り付けられている。前記傾斜角度θ３は、具体的には、４５°前後が望ましい。
【００５４】
第４の実施の形態に係る着雪防止型スノーポールＤは、横側フード５００Ｄが取り付けられている以外の点は、上述した第３の実施の形態に係る着雪防止型スノーポールＣと同様の構成であるので、その詳細な説明を省略する。
【００５５】
かかる第４の実施の形態に係る着雪防止型スノーポールＤは、横側あるいは斜め方向から雪が吹きつけたとしても、横側フード５００Ｄによってその流れがテーパ面２１０Ｄより後方に導かれるので、透光体２００Ｄには雪が付着しない。すなわち、光の透過に関係するテーパ面２１０Ｄには雪が付着しないのである。
【００５６】
次に、本発明の第５の実施の形態に係る着雪防止型スノーポールＥについて図７を参照しつつ説明する。
この第５の実施の形態に係る着雪防止型スノーポールＥは、図７〜図９に示すような一体型フード６００Ｅを第１の実施の形態に係る着雪防止型スノーポールＡにおける透光体２００Ａに取り付けたものであり、その他の点の構成は同一である。
【００５７】
前記一体型フード６００Ｅは、図７〜図９に示すように、上側フード６１０Ｅと、一対の前向き側面フード６２０Ｅとから構成されるものである。前記上側フード６１０Ｅは、透光体２００Ｅに対して傾斜角度θ２で下向きになっている。かかる上側フード６１０Ｅは、透光体２００Ｅの上端部に取り付けられている。この上側フード６１０Ｅの下端縁の長さ寸法は、透光体２００Ｅの上端縁の長さと等しく設定されているが、上端縁の長さ寸法は、透光体２００Ｅの上端縁より長く設定されている。
【００５８】
従って、前記一対の前向き側面フード６２０Ｅは、透光体２００Ｅの側面２３０Ｅより外側に向かって拡がっていることになる。ここで、図９に示すように、前向き側面フード６２０Ｅの透光体２００Ｅのテーパ面２１０Ｅに対する角度は１３５°程度で、透光体２００Ｅの側面２３０Ｅを前方向に延長した仮想平面Ｋ（図９では破線で示している）に対する角度は４５°程度にそれぞれ設定されている。
【００５９】
このような一体型フード６００Ｅを透光体２００Ｅのテーパ面２１０Ｅに取り付けると、上述した第１の実施の形態に係る着雪防止型スノーポールＡにおける透光体２００Ａ及び上側フード４００Ａと同様の効果を発揮することが実験で確認されている。
【００６０】
さらに、第３の実施の形態に係る着雪防止型スノーポールＣにおける透光体２００Ｃに、この一体型フード６００Ｅを取り付けることも可能である。
【００６１】
なお、上述した各実施の形態では、テーパ面２１０Ａ〜２１０Ｄの垂直面Ｌに対する傾斜角度θ１を１０°、上側フード４００Ａ〜４００Ｄのテーパ面２１０Ａ〜２１０Ｄに対する傾斜角度θ２を３５°としたが、本発明はこれに限定されることはない。すなわち、テーパ面２１０Ａ〜２１０Ｄの垂直面Ｌに対する傾斜角度θ１（θ１≠４５°）と、前記上側フード４００Ａ〜４００Ｄのテーパ面２１０Ａ〜２１０Ｄに対する傾斜角度θ２（θ２≠０°）との和は４５°以上であれば効果を発揮することが実験により確認されている。
【図面の簡単な説明】
【００６２】
【図１】本発明の第１の実施の形態に係る着雪防止型スノーポールの概略的一部破断側面図である。
【図２】本発明の第１の実施の形態に係る着雪防止型スノーポールに用いられる透光体の概略的斜視図である。
【図３】本発明の第２の実施の形態に係る着雪防止型スノーポールの概略的平面図である。
【図４】本発明の第３の実施の形態に係る着雪防止型スノーポールの概略的一部破断側面図である。
【図５】本発明の第３の実施の形態に係る着雪防止型スノーポールに用いられる透光体の概略的斜視図である。
【図６】本発明の第４の実施の形態に係る着雪防止型スノーポールの概略的平面図である。
【図７】本発明の第５の実施の形態に係る着雪防止型スノーポールの概略的一部破断側面図である。
【図８】本発明の第５の実施の形態に係る着雪防止型スノーポールに用いられる透光体と一体型フードとを示す概略的斜視図である。
【図９】本発明の第５の実施の形態に係る着雪防止型スノーポールに用いられる透光体と一体型フードとを示す概略的平面図である。
【符号の説明】
【００６３】
１００Ａ  本体部
２００Ａ  透光体
２１０Ａ  テーパ面
３００Ａ  光源
４００Ａ  上側フード
【図１】
2005126909.tif 000003
【図２】
2005126909.tif 000004
【図３】
2005126909.tif 000005
【図４】
2005126909.tif 000006
【図５】
2005126909.tif 000007
【図６】
2005126909.tif 000008
【図７】
2005126909.tif 000009
【図８】
2005126909.tif 000010
【図９】
2005126909.tif 000011
【手続補正書】
【提出日】平成15年10月29日(2003.10.29)
【手続補正１】
【補正対象書類名】図面
【補正対象項目名】図５
【補正方法】変更
【補正の内容】
【図５】
2005126909.tif 000012
【手続補正２】
【補正対象書類名】図面
【補正対象項目名】図７
【補正方法】変更
【補正の内容】
【図７】
2005126909.tif 000013